(57)【要約】【課題】装置本体における径方向の寸法が大きくなるのを防止しつつ、装置本体に保持されるレンズの径を確保することができるレンズ駆動装置を提供すること。【解決手段】レンズを保持するレンズホルダ６と、マグネット１１、コイル１０及びヨーク１２を有し、レンズホルダ６を光軸方向に沿って移動させるレンズ駆動部とを具備し、レンズホルダ６の周囲に配置されるヨーク１２の一部に複数の切り欠き部１２ｃを形成する一方、切り欠き部１２ｃでレンズホルダ６の一部を受け入れることを特徴とする。【選択図】図１
2008197313.tif 000002
【特許請求の範囲】
【請求項１】
レンズを保持するレンズホルダと、磁石、コイル及びヨークを有し前記レンズホルダを光軸方向に沿って移動させるレンズ駆動部とを具備し、前記レンズホルダの周囲に配置される前記ヨークの一部に複数の切り欠き部を形成する一方、前記切り欠き部で前記レンズホルダの一部を受け入れることを特徴とするレンズ駆動装置。
【請求項２】
前記ヨーク内に配設される磁石を環状に形成すると共に、当該磁石の前記ヨークにおける前記切り欠き部の非形成部分に対応する位置に肉厚部を設けたことを特徴とする請求項１記載のレンズ駆動装置。
【請求項３】
前記磁石の肉厚部を、矩形状を有する装置本体のベース部材の角部に対応する位置に配置したことを特徴とする請求項２記載のレンズ駆動装置。
【請求項４】
前記ヨークにおける前記切り欠き部に対応する位置にカバー部材を配置することを特徴とする請求項１から請求項３のいずれかに記載のレンズ駆動装置。
【発明の詳細な説明】
【技術分野】
【０００１】
本発明は、レンズ駆動装置に関し、特に、デジタルカメラにおけるオートフォーカス機能や手ぶれ補正機能に好適なレンズ駆動装置に関する。
【背景技術】
【０００２】
従来、デジタルカメラやカメラ付き携帯電話に搭載されるレンズ駆動装置において、ボイスコイルモータを使用してレンズ群の位置制御を行うものが提案されている（例えば、特許文献１参照）。一方、近年、デジタルカメラやカメラ付き携帯電話は小型化が進んでおり、これに伴って、カメラモジュールに用いられるレンズ駆動装置も小型化が要請されている。
【特許文献１】特開平８−９４９０４号公報
【発明の開示】
【発明が解決しようとする課題】
【０００３】
しかしながら、上述した従来のレンズ駆動装置においては、レンズの径方向に沿って構成部品が並設されるため、装置本体における径方向の寸法が大きくなるという問題がある。装置本体における径方向の寸法を小さくしようとする場合には、レンズの径を確保することが困難になるという別の問題が発生する。
【０００４】
本発明はかかる問題点に鑑みてなされたものであり、装置本体における径方向の寸法が大きくなるのを防止しつつ、装置本体に保持されるレンズの径を確保することができるレンズ駆動装置を提供することを目的とする。
【課題を解決するための手段】
【０００５】
本発明のレンズ駆動装置は、レンズを保持するレンズホルダと、磁石、コイル及びヨークを有し前記レンズホルダを光軸方向に沿って移動させるレンズ駆動部とを具備し、前記レンズホルダの周囲に配置される前記ヨークの一部に複数の切り欠き部を形成する一方、前記切り欠き部で前記レンズホルダの一部を受け入れることを特徴とする。
【０００６】
上記レンズ駆動装置によれば、レンズホルダの周囲に配置されるヨークの一部に形成された複数の切り欠き部でレンズホルダの一部が受け入れられることから、装置本体における径方向の寸法を維持する一方、レンズホルダ内にレンズを保持するスペースを確保することができる。これにより、装置本体における径方向の寸法が大きくなるのを防止しつつ、装置本体に保持されるレンズの径を確保することが可能となる。
【０００７】
上記レンズ駆動装置においては、前記ヨーク内に配設される磁石を環状に形成すると共に、当該磁石の前記ヨークにおける前記切り欠き部の非形成部分に対応する位置に肉厚部を設けることが好ましい。この場合には、ヨークの切り欠き部の非形成部分に対応する位置に磁石の肉厚部が配置されることから、ヨークの切り欠き部の非形成部分における磁力を高めることができるので、装置本体におけるレンズに対する駆動力が低下するのを防止することが可能となる。
【０００８】
特に、上記レンズ駆動装置においては、前記磁石の肉厚部を、矩形状を有する装置本体のベース部材の角部に対応する位置に配置することが好ましい。この場合には、装置本体のベース部材の角部に対応する位置に磁石の肉厚部が配置されるので、ベース部材の角部近傍のスペースを有効活用して、装置本体の外形寸法を大きくすることなく肉厚部を形成することが可能となる。
【０００９】
また、上記レンズ駆動装置においては、前記ヨークにおける前記切り欠き部に対応する位置にカバー部材を配置するようにしても良い。この場合には、ヨークの切り欠き部がカバー部材で覆われるので、当該切り欠き部を介して塵埃等が装置本体内に侵入するのを防止することが可能となる。
【発明の効果】
【００１０】
本発明によれば、基板上の撮像素子を収納する収納部を有するベース部材に形成された貫通孔に、レンズ駆動部のコイルの接点部と基板の接点部とを電気的に接続する弾性接続部材を配設したことから、装置内にレンズ駆動装置と基板とを電気的に接続するためのスペースを設ける必要がなくなるので、装置本体を小型化しつつ、装置内の構成要素間の電気的な接続経路を確保することが可能となる。
【発明を実施するための最良の形態】
【００１１】
以下、本発明の一実施の形態について添付図面を参照して詳細に説明する。
図１は、本発明の一実施の形態に係るレンズ駆動装置の分解斜視図である。図１に示すように、本実施の形態に係るレンズ駆動装置１は、イメージセンサ２が実装される基板３と、ＩＲカットフィルタ４が装着されるベース部材（以下、単に「ベース」という）５と、レンズホルダ６が取り付けられ、このレンズホルダ６を介してレンズケース７が取り付けられるケース８と、取り付けられたレンズホルダ６の上方からケース８に被せられるカバー９と、レンズホルダ６に固定されるコイル１０と、レンズホルダ６の上方に配設されるマグネット１１及びヨーク１２と、ヨーク１２に貼付されるカバーフィルム１３とを含んで構成される。
【００１２】
図１に示すように、基板３は、上方側から見て正方形状に設けられている。基板３における各辺の側面には、外部との接続を行う外部接続部材３ａが複数個設けられている。特定の１辺の側面に設けられた外部接続部材３ａの近傍には、１対の接点部３ｂが設けられている。イメージセンサ２は、基板３の中央位置に撮像領域２ａが配置されるようにワイヤボンディングにより固定される。なお、図１においては、イメージセンサ２を基板３に固定するための端子部分のみ表示し、ワイヤ自体は省略している。
【００１３】
ベース５は、基板３に対応する正方形状を有する板状部材で構成されている。ベース５の中央近傍には、撮像領域２ａに対応する位置に長方形状を有する開口部５ａが形成され、この開口部５ａの周囲に円形状を有する凹部５ｂが形成されている。ＩＲカットフィルタ４は、凹部５ｂに対応する円形状を有し、凹部５ｂに装着される。ベース５の四隅には、上方に向けて僅かに突出する凸部５ｃが形成されている。これらの凸部５ｃの近傍には、上方に向けて突出する突出片５ｄが形成されている。ベース５における基板３に形成された接点部３ｂに対応する位置には、一対の貫通孔５ｅが形成されている。この貫通孔５ｅには、後述するレンズホルダ６の接点部６２ｅ及び６４ｅと、基板３の接点部３ｂとを電気的に接続するスプリング５ｆが配設される。スプリング５ｆは、金属等の導電性材料から形成され弾性を有している。
【００１４】
ケース８は、概して基板３及びベース５に対応する正方形状を有し、その中央には円形状の開口部８ａが形成されている。また、本レンズ駆動装置１の側面の一部を構成する側面部８ｂ及び８ｃを有している。側面部８ｂは、端部近傍で後述するヨーク１２の脚部１２ｂを受け入れる形状を有し、その内側部分でベース５の突出片５ｄを受け入れる形状を有している。側面部８ｂの中央部の下面には、後述するレンズホルダ６の接点部６２ｅ及び６４ｅを受け入れる凹部８ｄが形成されている。一方、側面部８ｃには、後述するレンズホルダ６が有する板ばねの一部を収容する溝部８ｅが形成されている。さらに、ケース８の四隅には、上方側に突出するピン８ｆが立設されている。
【００１５】
レンズケース７は、小径部７ａと大径部７ｂとを有し、これらの内部に形成される空間に複数のレンズを光軸方向に沿って保持する。小径部７ａには、その上面に入光口として機能する開口部７ｃが形成されている。また、大径部７ｂの周面には、ねじ山７ｄが形成されている。ねじ山７ｄは、後述するレンズホルダ６の内周面に形成されたねじ山と係合し、レンズケース７自体の位置調整の際に利用される。
【００１６】
レンズホルダ６は、複数の部品が組み合わせられて構成されている。複数の部品が組み合わされた状態において、その内部に形成される空間に上下に位置調整可能にレンズケース７を保持する。レンズホルダ６は、構成部品である板ばねの端部をケース８に固定し、その中央部分をケース８に対して上下に揺動可能に構成される。レンズホルダ６の上面には、円環形状を有するコイル１０が固定される。例えば、コイル１０は、レンズホルダ６の上面に接着固定される。なお、このレンズホルダ６の詳細な構成については後述する。
【００１７】
カバー９は、ケース８の上面に対応した形状を有し、その中央に円形状の開口部９ａが形成されている。また、ケース８の側面部８ｂに対応する一対の辺９ｂと、側面部８ｃに対応する一対の辺９ｃとを有している。辺９ｂは、ケース８の側面部８ｂと同様に、端部近傍で後述するヨーク１２の脚部１２ｂを受け入れる形状を有し、その内側部分でベース５の突出片５ｄを受け入れる形状を有している。また、カバー９の四隅には、ケース８のピン８ｉが貫通する穴部９ｄが形成されている。
【００１８】
マグネット１１は、上記コイル１０よりも大径の円環形状を有し、ヨーク１２の内壁面に固定される。ヨーク１２に固定された状態において、レンズホルダ６の上面に固定されたコイル１０の周囲を囲繞するように配設される。マグネット１１の内周面は、一定距離だけ離間した状態でコイル１０の外周面と対向している。なお、マグネット１１の光軸方向の長さは、コイル１０の上下移動に対応するために、コイル１０の長さよりも長く構成されている。
【００１９】
ヨーク１２は、磁性体として機能し、図１に示す下方側に開口した形状を為す円環形状を有している。また、その下端部においてブラケット１２ａに固定されている。ブラケット１２ａは、その四隅にて下方側に屈曲されており、この屈曲された部分で脚部１２ｂを構成している。ヨーク１２の内周面の上側には、複数の切り欠き部１２ｃが形成されている。切り欠き部１２ｃは、後述するレンズホルダ６の突出片６１ｃを受け入れる形状を有している。カバーフィルム１３は、円環形状を有し、ヨーク１２の上面に貼付され、切り欠き部１２ｃから塵埃等が侵入するのを防止する役割を果たしている。
【００２０】
ここで、本実施の形態に係るレンズ駆動装置１を組み立てた場合の状態について説明する。図２は、本実施の形態に係るレンズ駆動装置１を組み立てた場合の斜視図である。また、図３は、本実施の形態に係るレンズ駆動装置１を組み立てた場合の断面図である。なお、図３においては、レンズケース７に保持されるレンズについては省略している。
【００２１】
レンズ駆動装置１を組み立てた状態においては、図２及び図３に示すように、ベース５の上方にケース８及びカバー９が重ねられる。このとき、図２に示すように、ベース５の突出片５ｄの間にケース８の側面部８ｂ及びカバー９の辺９ｂの中央部が収容される。これにより、ベース５上において、ケース８及びカバー９が位置決めされる。
【００２２】
また、図２及び図３に示すように、カバー９の上方にヨーク１２が重ねられる。このとき、図２に示すように、ヨーク１２の脚部１２ｂは、重ねられたケース８の側面部８ｂ及びカバー９の辺９ｂの表面を覆うように配置される。そして、脚部１２ｂの下端部は、ベース５の凸部５ｃの内側に配置される。このように、ケース８の側面部８ｂ及びカバー９の辺９ｂと、凸部５ｃとの間に挟み込まれることで、ヨーク１２が位置決めされる。
【００２３】
ヨーク１２は、断面略Ｕ字状の形状を有し、その内部においては、その外側の内壁面にマグネット１１が接着固定されている。そして、このマグネット１１の内周面と、ヨーク１２の内側の内壁面との間に、レンズホルダ６に固定されたコイル１０が配置される。コイル１０は、マグネット１１の内周面と、ヨーク１２の内側の内壁面とから一定距離だけ離間した位置に配置されている。
【００２４】
なお、これらのコイル１０、マグネット１１及びヨーク１２により、レンズホルダ６及びレンズケース７を移動させるレンズ駆動部が構成される。本実施の形態において、レンズ駆動部は、所謂ボイスコイルモータで構成される。特に、本実施の形態においては、コイル１０への通電によりマグネット１１に沿ってコイル１０を移動させるムービングコイル形式のボイスコイルモータを適用した場合について示している。
【００２５】
また、図３に示すように、ヨーク１２の内側には、レンズケース７が配設されている。そして、レンズケース７に保持される複数のレンズに対応する下方位置にＩＲカットフィルタ４が配置されると共に、このＩＲカットフィルタ４の下方位置にイメージセンサ２の撮像領域２ａが配置されている。
【００２６】
本実施の形態に係るレンズ駆動装置１は、このような構成を備え、レンズケース７を上下移動させることで、これに保持されるレンズを駆動するものである。以下、本実施の形態に係るレンズ駆動装置１において、レンズケース７を上下移動させる場合の動作について説明する。
【００２７】
本実施の形態に係るレンズ駆動装置１において、レンズケース７を上下移動させる場合には、例えば、本レンズ駆動装置１を搭載する携帯電話やデジタルカメラの制御部からの駆動指示に応じてコイル１０に電流が流される。このとき、本レンズ駆動装置１においては、レンズホルダ６が有する板ばね（第１及び第２の板ばね）をその通電手段として利用する。具体的には、基板３の接点部３ｂから、ベース５に埋め込まれたスプリング５ｆ及び第１の板ばねを介して電流がコイル１０に送り込まれる。そして、コイル１０を流れた電流は、第２の板ばね６４及びベース５に埋め込まれたスプリング５ｆを介して基板３に送り出される。
【００２８】
このようにコイル１０に電流を流すと、コイル１０に流れる電流がマグネット１１から発生する磁界と作用することにより、コイル１０を上下方向に移動させる推力が発生する。本実施の形態に係るレンズ駆動装置１においては、コイル１０に流す電流量を制御することによってこの推力を制御し、コイル１０を上下移動させ、その位置決めを行う。これにより、コイル１０が固定されるレンズホルダ６の位置決めを行うと共に、レンズホルダ６に取り付けられたレンズケース７内のレンズの位置決めを行うことが可能となる。
【００２９】
以下、本実施の形態に係るレンズ駆動装置１の特徴を有する構成部品について説明する。本実施の形態に係るレンズ駆動装置１においては、レンズホルダ６、マグネット１１及びヨーク１２の構成に特徴を有するため、以下においてはこれらの構成について説明するものとする。
【００３０】
まず、本実施の形態に係るレンズ駆動装置１が有するレンズホルダ６の構成について説明する。図４は、本実施の形態に係るレンズ駆動装置１が有するレンズホルダ６を説明するための分解斜視図であり、図５は、本実施の形態に係るレンズ駆動装置１が有するレンズホルダ６を組み立てた場合の斜視図である。なお、図４においては、説明の便宜上、レンズホルダ６が取り付けられるケース８及びカバー９を表示している。
【００３１】
図４及び図５に示すように、レンズホルダ６は、上面部６１と、第１の板ばね６２と、スペーサ６３と、第２の板ばね６４と、下面部６５とが組み合わされて構成される。各構成部品の中央部分には開口部が形成されており、図５に示すように、各構成部品が組み合わされた状態において、レンズホルダ６の内部には、レンズケース７を収容する空間が形成される。このようなレンズホルダ６により保持された状態で、レンズケース７の小径部７ａは、上面部６１の開口部から図５に示す上方側に突出した状態となる。
【００３２】
図４に示すように、上面部６１は、その内壁面でレンズケース７の大径部７ｂの上面近傍を覆うカバー部６１ａと、カバー部６１ａの下端部から装置側方に突出形成された鍔部６１ｂとを有する。カバー部６１ａの上面は、レンズホルダ６自体の上面として機能し、上述したコイル１０が接着固定される。カバー部６１ａの上面には、上方に向けて突出する複数（ここでは４つ）の突出片６１ｃが形成されている。突出片６１ｃは、その内壁でレンズケース７の小径部７ａの外周面に接触し、レンズケース７の位置精度を向上する役割を果たす。突出片６１ｃの外側表面には、レンズの位置の微調整を行うための凹部６１ｄが形成されている。レンズの位置調整は、これらの凹部６１ｄに係合する工具を使用してレンズホルダ６を回転させることで行われる。カバー部６１ａの周面には、コイル１０を通過させる溝部６１ｅが形成されている。鍔部６１ｂにおける下面の外周側の所定位置には、後述する第１の板ばね６２の切り欠き６２ｈ等を介して、後述する下面部６５の突起部６５ｂと当接する突起部６１ｆが形成されている。また、鍔部６１ｂにおける下面の内周側の所定位置には、後述する第１の板ばね６２の切り欠き６２ｉ等に入り込む突起部６１ｇが形成されている。
【００３３】
第１の板ばね６２は、例えば、リン青銅等の導電性材料で構成される。第１の板ばね６２は、中央に開口部を有する円環状部６２ａと、この円環状部６２ａの所定位置から延在する複数の腕部６２ｂと、各腕部６２ｂの端部に設けられた固定部６２ｃとを有する。特定の固定部６２ｃには、下方側に屈曲される連結片６２ｄが形成されている。連結片６２ｄの先端は、接点部６２ｅを有する接点部材６２ｆに形成される挟持部６２ｇに連結される。円環状部６２ａの外周側において、上面部６１の突起部６１ｆに対応する位置には、切り欠き部６２ｈが形成されている。一方、円環状部６２ａの内周側において、上面部６１の突起部６１ｇに対応する位置には、切り欠き部６２ｉが形成されている。なお、円環形状部６２ａの所定位置には、装置の側方に突出するコイル接続片６２ｊが形成されている（図４に不図示）。
【００３４】
スペーサ６３は、中央に開口部を有する円環状部６３ａを有する。円環状部６３ａの外周側において、上面部６１の突起部６１ｆに対応する位置には、切り欠き部６３ｂが形成されている。一方、円環状部６３ａの内周側において、上面部６１の突起部６１ｇに対応する位置には、切り欠き部６３ｃが形成されている。
【００３５】
第２の板ばね６４は、第１の板ばね６２と同様に、例えば、リン青銅等の導電性材料で構成される。第２の板ばね６４は、中央に開口部を有する円環状部６４ａと、この円環状部６４ａの所定位置から延在する複数の腕部６４ｂと、各腕部６４ｂの端部に設けられた固定部６４ｃとを有する。特定の固定部６４ｃには、下方側に屈曲される連結片６４ｄが形成されている。連結片６４ｄの先端は、接点部６４ｅを有する接点部材６４ｆに形成される挟持部６４ｇに連結される。円環状部６４ａの外周側において、上面部６１の突起部６１ｆに対応する位置には、切り欠き部６４ｈが形成されている。一方、円環状部６４ａの内周側において、上面部６１の突起部６１ｇに対応する位置には、切り欠き部６４ｉが形成されている。なお、円環形状部６４ａの所定位置には、装置の側方に突出するコイル接続片６４ｊが形成されている。
【００３６】
下面部６５は、中央に開口部を有する円環状部６５ａを有する。円環状部６５ａにおける上面の外周側の所定位置には、上面部６１の突起部６１ｆと当接する突起部６５ｂが形成されている。なお、下面部６５の内周面には、レンズケース７のねじ山７ｄが係合するねじ山６５ｃが形成されている。
【００３７】
レンズホルダ６は、図５に示すように、第１の板ばね６２、スペーサ６３及び第２の板ばね６４を挟んだ状態で、上面部６１に下方側に向けて形成された突起部６１ｆと、下面部６５に上方側に向けて形成された突起部６５ｂとの当接面を、例えば、接着固定することにより、これらの構成部品が一体化するように構成されている。
【００３８】
なお、ここでは、上面部６１の突起部６１ｆと、下面部６５の突起部６５ｂとの接着固定によりレンズホルダ６を一体化する場合について示しているが、レンズホルダ６を一体化する構造については、これに限定されるものではなく、適宜変更が可能である。レンズホルダ６の一体化を実現できれば、いかなる手法を採用しても良い。例えば、上面部６１、第１の板ばね６２及びスペーサ６３から成る部品をインモールド成形により形成する一方、第２の板ばね６４及び下面部６５から成る部品をインモールド成形により形成し、これらを接着固定するようにしても良い。或いは、上面部６１から下面部６５までの全ての部品をインモールド成形により形成するようにしても良い。
【００３９】
このように組み立てられた場合、レンズホルダ６が有する第１の板ばね６２と、第２の板ばね６４とは、図５に示すように、レンズホルダ６における異なる高さの位置に配置される。また、第１の板ばね６２の固定部６２ｃと、第２の板ばね６４の固定部６４ｃとは、図５に示すように、レンズホルダ６における周方向の異なる位置に配置される。固定部６２ｃ及び固定部６４ｃは、レンズホルダ６の四隅でそれぞれ近接して配置されている。固定部６２ｃ及び固定部６４ｃには、図５に示すように、それぞれケース８に立設されたピン８ｆを受け入れる半円弧形状の切り欠き部が形成されている。
【００４０】
一方、ケース８の上面において、四隅に立設されたピン８ｆの近傍は、レンズホルダ６が有する第１の板ばね６２の固定部６２ｃ、並びに、第２の板ばね６４の固定部６４ｃの位置に応じた段差を有する形状に設けられている。具体的には、第２の板ばね６４の固定部６４ｃの位置に応じた第１固定部８ｇと、第１固定部８ｇよりも高い位置に配置され、第１の板ばね６２の固定部６２ｃの位置に応じた第２固定部８ｈとが設けられている。
【００４１】
このような形状を有するケース８において、第１固定部８ｇに第２の板ばね６４が有するそれぞれの固定部６４ｃが固定される。この場合において、固定部６４ｃは、切り欠き部にピン８ｆを収容した状態で固定される。このように切り欠き部にピン８ｆを収容した状態で固定することで、第２の板ばね６４がケース８からずれるのを防止している。このとき、第２の板ばね６４の円環状部６４ａは、ケース８の開口部８ａの内側に配置されている。
【００４２】
同様に、第２固定部８ｈに第１の板ばね６２が有するそれぞれの固定部６２ｃが固定される。この場合において、固定部６２ｃは、切り欠き部にピン８ｆを収容した状態で固定される。このように切り欠き部にピン８ｆを収容した状態で固定することで、第１の板ばね６２がケース８からずれるのを防止している。このとき、第１の板ばね６２の円環状部６２ａは、ケース８の開口部８ａの内側に配置されている。
【００４３】
図６は、本実施の形態に係るレンズ駆動装置１が有するレンズホルダ６とケース８との関係について説明するための斜視図である。上述したように、レンズホルダ６は、第１の板ばね６２及び第２の板ばね６４を上面部６１、スペーサ６３及び下面部６５で挟んで一体化されており、これらの第１の板ばね６２及び第２の板ばね６４のみでケース８に対して固定されている。このため、レンズホルダ６は、第１の板ばね６２及び第２の板ばね６４が許容する一定の範囲で図６に示す上下方向に移動可能に構成されている。
【００４４】
なお、このようにケース８に固定される場合において、第１の板ばね６２の連結片６２ｄ及び第２の板ばね６４の連結片６４ｄは、ケース８の溝部８ｅに収容される。これらの連結片６２ｄ及び連結片６４ｄにそれぞれ連結される接点部材６２ｆ及び接点部材６４ｆは、ケース８の下面側に配設される。そして、接点部材６２ｆの接点部６２ｅ、並びに、接点部材６４ｆの接点部６４ｅは、ケース８に形成された凹部８ｄに収容されている。このように凹部８ｄに収容された接点部６２ｅ及び接点部６４ｅは、ベース５に埋め込まれたスプリング５ｆの上端部と接触することとなる。
【００４５】
次に、本実施の形態に係るレンズ駆動装置１が有するマグネット１１の構成について説明する。図７は、本実施の形態に係るレンズ駆動装置１が有するマグネット１１の上面図である。
【００４６】
図７に示すように、マグネット１１においては、所定の位置に肉厚部１１ａと薄肉部１１ｂとが形成されている。肉厚部１１ａ及び薄肉部１１ｂは、それぞれマグネット１１の中心を挟んで対向する位置に形成されている。肉厚部１１ａは、ヨーク１２にマグネット１１が固定された状態において、ヨーク１２の四隅（脚部１２ｂが形成された部分）に対応する位置に配置される。一方、薄肉部１１ｂは、ヨーク１２にマグネット１１が固定された状態において、ヨーク１２の切り欠き部１２ｃに対応する位置に配置される。
【００４７】
次に、本実施の形態に係るレンズ駆動装置１が有するヨーク１２の構成について説明する。図８は、本実施の形態に係るレンズ駆動装置１が有するヨーク１２の斜視図である。図９は、本実施の形態に係るレンズ駆動装置１が有するヨーク１２をレンズホルダ６等に取り付けた場合の斜視図である。
【００４８】
図８に示すように、ヨーク１２の内周面には、４つの切り欠き部１２ｃが形成されている。各切り欠き部１２ｃの上端部は、ヨーク１２の上面の中央近傍まで達している。このような構成を有するヨーク１２がレンズホルダ６等に取り付けられた場合、図９に示すように、ヨ−ク１２の切り欠き部１２ｃは、レンズホルダ６の上面部６１に形成された突出片６１ｃを受け入れる。
【００４９】
ここで、本実施の形態に係るレンズ駆動装置１が有するレンズホルダ６、マグネット１１及びヨーク１２の位置関係について説明する。図１０は、本実施の形態に係るレンズ駆動装置１の上面図である。なお、図１０においては、説明の便宜上、ヨーク１２を介してその内部の構成を表示している。
【００５０】
図１０に示すように、レンズホルダ６の上面部６１に形成された突出片６１ｃは、ヨーク１２の切り欠き部１２ｃの内側部分に収容される。このように突出片６１ｃがヨーク１２の切り欠き部１２ｃに収容されることから、レンズホルダ６に取り付けられるレンズケース７のためのスペースを大きく確保することができ、この結果、レンズケース７に保持されるレンズの径を大きく維持することができる。
【００５１】
また、マグネット１１は、薄肉部１１ｂがヨーク１２の切り欠き部１２ｃが形成されている部分に対応する位置に配置され、肉厚部１１ａがヨーク１２の切り欠き部１２ｃが形成されていない部分に対応する位置に配置されている。これにより、ヨーク１２に切り欠き部１２ｃが形成されていない部分における磁力を高め、装置本体における駆動力が低下するのを防止している。
【００５２】
特に、マグネット１１の肉厚部１１ａは、装置本体の角部に対応する位置に配置されている。このため、装置本体の角部近傍のスペースを有効に活用することができ、装置本体の外形寸法を大きくすることなくマグネット１１の肉厚部１１ａを形成することが可能となる。
【００５３】
このように本実施の形態に係るレンズ駆動装置１によれば、レンズホルダ６の周囲に配置されるヨーク１２の一部に形成された複数の切り欠き部１２ｃでレンズホルダ６の上面部６１に形成された突出片６１ｃが受け入れられることから、装置本体における径方向の寸法を維持する一方、レンズホルダ６内にレンズを保持するスペースを確保することができる。これにより、装置本体における径方向の寸法が大きくなるのを防止しつつ、装置本体に保持されるレンズの径を確保することが可能となる。
【００５４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５５】
例えば、上記実施の形態においては、ヨーク１２に４つの切り欠き部１２ｃを形成する場合について説明しているが、ヨーク１２の構成については、これに限定されるものではなく、適宜変更が可能である。例えば、ヨーク１２に２つの切り欠き部１２ｃを形成するようにしても良い。
【図面の簡単な説明】
【００５６】
【図１】本発明の一実施の形態に係るレンズ駆動装置の分解斜視図である。
【図２】上記実施の形態に係るレンズ駆動装置を組み立てた場合の斜視図である。
【図３】上記実施の形態に係るレンズ駆動装置を組み立てた場合の断面図である。
【図４】上記実施の形態に係るレンズ駆動装置が有するレンズホルダを説明するための分解斜視図である。
【図５】上記実施の形態に係るレンズ駆動装置が有するレンズホルダを組み立てた場合の斜視図である。
【図６】上記実施の形態に係るレンズ駆動装置が有するレンズホルダとケースとの関係について説明するための斜視図である。
【図７】上記実施の形態に係るレンズ駆動装置が有するマグネットの上面図である。
【図８】上記実施の形態に係るレンズ駆動装置が有するヨークの斜視図である。
【図９】上記実施の形態に係るレンズ駆動装置が有するヨークをレンズホルダ等に取り付けた場合の斜視図である。
【図１０】上記実施の形態に係るレンズ駆動装置の上面図である。
【符号の説明】
【００５７】
１  レンズ駆動装置
２  イメージセンサ
３  基板
４  ＩＲカットフィルタ
５  ベース部材（ベース）
６  レンズホルダ
６１  上面部
６１ｃ  突出片
６２  第１の板ばね
６３  スペーサ
６４  第２の板ばね
６５  下面部
７  レンズケース
８  ケース
９  カバー
１０  コイル
１１  マグネット
１２  ヨーク
１２ｃ  切り欠き部
【図１】
2008197313.tif 000003
【図２】
2008197313.tif 000004
【図３】
2008197313.tif 000005
【図４】
2008197313.tif 000006
【図５】
2008197313.tif 000007
【図６】
2008197313.tif 000008
【図７】
2008197313.tif 000009
【図８】
2008197313.tif 000010
【図９】
2008197313.tif 000011
【図１０】
2008197313.tif 000012
【手続補正書】
【提出日】平成19年7月19日(2007.7.19)
【手続補正１】
【補正対象書類名】明細書
【補正対象項目名】００１０
【補正方法】変更
【補正の内容】
【００１０】
本発明によれば、レンズホルダの周囲に配置されるヨークの一部に形成された複数の切り欠き部でレンズホルダの一部が受け入れられることから、装置本体における径方向の寸法を維持する一方、レンズホルダ内にレンズを保持するスペースを確保することができる。これにより、装置本体における径方向の寸法が大きくなるのを防止しつつ、装置本体に保持されるレンズの径を確保することが可能となる。